(57)【要約】【課題】  安価で小型な光学ヘッドを提供すること。【解決手段】波長λ１のレーザー光を発生する第１のレーザーダイオード１１−１と、前記波長λ１より短い波長λ２のレーザー光を発生する第２のレーザーダイオード１１−２と、これらのレーザー光が入射するように配置されたコリメータレンズ１７と、このコリメータレンズ１７の光軸上に配置された開口フィルター１９と、この開口フィルター１９を通過した前記レーザー光が入射するように前記光軸上に配置された対物レンズ２０とを備え、前記第２のレーザーダイオード１１−２は、前記コリメータレンズ１７に対し、前記第１のレーザーダイオード１１−１よりも離れた光軸上の位置に配置されている。【選択図】  図１
2006190353.tif 000002
【特許請求の範囲】
【請求項１】
波長λ１のレーザー光を発生する第１のレーザーダイオードと、前記波長λ１より短い波長λ２のレーザー光を発生する第２のレーザーダイオードと、これらのレーザー光が入射するように配置されたコリメータレンズと、このコリメータレンズの光軸上に配置された対物レンズとを備え、前記第２のレーザーダイオードは、前記コリメータレンズに対し、前記第１のレーザーダイオードよりも離れた光軸上の位置に配置されていることを特徴とする光学ヘッド。
【請求項２】
前記コリメータレンズの光軸上にはさらに開口フィルターが配置されており、前記第１のレーザーダイオードにより発生された波長λ１のレーザー光は、前記コリメータレンズ及び前記開口フィルターを通過することにより拡散光として前記対物レンズに入射し、前記第２のレーザーダイオードにより発生された波長λ２のレーザー光は、前記コリメータレンズにより平行光として前記開口フィルターを介して前記対物レンズに入射することを特徴とする請求項１記載の光学ヘッド。
【請求項３】
前記請求項２記載の光学ヘッドを用い、前記第１のレーザーダイオードにより発生された波長λ１のレーザー光を、前記対物レンズにより、第１の記録媒体の情報記録面に結像させ、前記第２のレーザーダイオードにより発生された波長λ２のレーザー光を、前記対物レンズにより、第１の記録媒体より薄い第２の記録媒体の情報記録面に結像させることを特徴とする光ディスク装置。
【請求項４】
波長λ１のレーザー光を発生する第１のレーザーダイオードと、前記波長λ１より短い波長λ２のレーザー光を発生する第２のレーザーダイオードと、前記波長λ２より短い波長λ３のレーザー光を発生する第３のレーザーダイオードと、これらのレーザー光が入射するように配置されたコリメータレンズと、このコリメータレンズの光軸上に配置された対物レンズとを備え、前記第２および第３のレーザーダイオードは、前記コリメータレンズに対し、前記第１のレーザーダイオードよりも離れた光軸上のほぼ同一の位置に配置されていることを特徴とする光学ヘッド。
【請求項５】
前記コリメータレンズの光軸上にはさらに開口フィルターが配置されており、また、前記対物レンズは回折型対物レンズであり、前記第１のレーザーダイオードにより発生された波長λ１のレーザー光は、前記コリメータレンズ及び前記開口フィルターを通過することにより拡散光として前記開口フィルターを介して前記対物レンズに入射し、前記第２および第３のレーザーダイオードにより発生された波長λ２およびλ３のレーザー光は、前記コリメータレンズにより平行光として前記開口フィルターを介して前記対物レンズに入射することを特徴とする請求項４記載の光学ヘッド。
【請求項６】
前記請求項５記載の光学ヘッドを用い、前記第１のレーザーダイオードにより発生された波長λ１のレーザー光を、前記回折型対物レンズにより、第１の記録媒体の情報記録面に結像させ、前記第２のレーザーダイオードにより発生された波長λ２のレーザー光を、前記回折型対物レンズにより、前記第１の記録媒体より記録媒体表面から情報記録面までの距離が短い第２の記録媒体の情報記録面に結像させ、前記第３のレーザーダイオードにより発生された波長λ３のレーザー光を、前記回折型対物レンズにより、記録媒体表面から情報記録面までの距離が前記第２の記録媒体とほぼ同じ距離の第３の記録媒体の情報記録面に結像させることを特徴とする光ディスク装置。
【発明の詳細な説明】
【技術分野】
【０００１】
本発明は、例えばＣＤ（コンパクトディスク）とＤＶＤ（デジタルバーサタイルディスク）のように、異なる複数種類の光記録媒体（光ディスク）に信号を記録しあるいは読み出すための光学ヘッドおよびこれを用いた光ディスク装置に係り、特に、複数の波長の光を使用する光学ヘッドに関するものである。
【背景技術】
【０００２】
従来、ＣＤあるいはＤＶＤのように、保護層の厚さおよび情報の記録密度が異なり且つ記録再生に用いるレーザー光の波長が異なる複数種類の光記録媒体（光ディスク）に記録された信号を読み出し、あるいは信号を書き込むための光学ヘッドとして、短波長用と長波長用の２つのレーザー光の発光部を１つのパッケージに組み込んだ光源モジュールを用いるとともに対物レンズを含めて各波長で共通の光学系を用いて再生できるようにしたものが知られている。このような多種類の媒体に対応する光学ヘッドにおいては、波長が異なる複数の波長の光を発生する光源を備える必要がある。例えばＤＶＤ再生及びＣＤ記録の両機能を備えた光学ヘッドの場合、波長６５０ｎｍ・７８０ｎｍのレーザーダイオード（ＬＤ)備えている。また、これらの光源から発生される２波長光に対応した対物レンズを使用する必要がある。この対物レンズとしては、光軸上の同じ距離の位置に配置された２つの光源からの光をそれぞれ、光軸上の異なる位置に集光・結像させるために、特殊な回折型対物レンズが使用されている。
【特許文献１】特開２００３−２７２２１８号公報
【発明の開示】
【発明が解決しようとする課題】
【０００３】
上記のような複数の波長光を発生する光源を使用する光学ヘッドにおいては、異なる波長の光を同一のレンズで光軸上の異なる位置に結像させる際に生ずる球面収差の問題を解決するために、特殊な２重焦点回折対物レンズを使用している。しかしこの特殊な対物レンズはその構造が複雑であるため、製造コストも高く、光学ヘッド全体の価格を上昇する要因になっている。
【０００４】
また、一般的で安価な対物レンズを使用すると２波長ＬＤは使用できず、異なるレーザー光源とそれらに対応する異なる光学系を設ける必要があるため、光学ヘッドの小型化には不向きとなるという問題もあった。
【０００５】
したがって本発明の目的は、上記問題を解決するためになされたものであり、安価で小型な光学ヘッドを提供することにある。
【課題を解決するための手段】
【０００６】
本発明の実施形態に係る光学ヘッドは、波長λ１のレーザー光を発生する第１のレーザーダイオードと、前記波長λ１より短い波長λ２のレーザー光を発生する第２のレーザーダイオードと、これらのレーザー光が入射するように配置されたコリメータレンズと、このコリメータレンズの光軸上に配置された対物レンズとを備え、前記第２のレーザーダイオードは、前記コリメータレンズに対し、前記第１のレーザーダイオードよりも離れた光軸上の位置に配置されていることを特徴とするものである。
【０００７】
また、前記光学ヘッドにおいては、前記コリメータレンズの光軸上にはさらに開口フィルターが配置されており、前記第１のレーザーダイオードにより発生された波長λ１のレーザー光は、前記コリメータレンズ及び前記開口フィルターを通過することにより拡散光として前記対物レンズに入射し、前記第２のレーザーダイオードにより発生された波長λ２のレーザー光は、前記コリメータレンズにより平行光として前記開口フィルターを介して前記対物レンズに入射することを特徴とするものである。
【０００８】
また、本発明の光ディスク装置は、前記光学ヘッドを用い、前記第１のレーザーダイオードにより発生された波長λ１のレーザー光を、前記対物レンズにより、第１の記録媒体の情報記録面に結像させ、前記第２のレーザーダイオードにより発生された波長λ２のレーザー光を、前記対物レンズにより、第１の記録媒体より薄い第２の記録媒体の情報記録面に結像させることを特徴とするものである。
【０００９】
また、本発明の他の実施形態に係る光学ヘッドは、波長λ１のレーザー光を発生する第１のレーザーダイオードと、前記波長λ１より短い波長λ２のレーザー光を発生する第２のレーザーダイオードと、前記波長λ２より短い波長λ３のレーザー光を発生する第３のレーザーダイオードと、これらのレーザー光が入射するように配置されたコリメータレンズと、このコリメータレンズの光軸上に配置された対物レンズとを備え、前記第２および第３のレーザーダイオードは、前記コリメータレンズに対し、前記第１のレーザーダイオードよりも離れた光軸上のほぼ同一の位置に配置されていることを特徴とするものである。
【００１０】
また、上記光学ヘッドにおいては、前記コリメータレンズの光軸上にはさらに開口フィルターが配置されており、また、前記対物レンズは回折型対物レンズであり、前記第１のレーザーダイオードにより発生された波長λ１のレーザー光は、前記コリメータレンズ及び前記開口フィルターを通過することにより拡散光として前記開口フィルターを介して前記対物レンズに入射し、前記第２および第３のレーザーダイオードにより発生された波長λ２およびλ３のレーザー光は、前記コリメータレンズにより平行光として前記開口フィルターを介して前記対物レンズに入射することを特徴とするものである。
【００１１】
また、本発明の他の実施形態に係る光ディスク装置は、前記光学ヘッドを用い、前記第１のレーザーダイオードにより発生された波長λ１のレーザー光を、前記回折型対物レンズにより、第１の記録媒体の情報記録面に結像させ、前記第２のレーザーダイオードにより発生された波長λ２のレーザー光を、前記回折型対物レンズにより、前記第１の記録媒体より記録媒体表面から情報記録面までの距離が短い第２の記録媒体の情報記録面に結像させ、前記第３のレーザーダイオードにより発生された波長λ３のレーザー光を、前記回折型対物レンズにより、記録媒体表面から情報記録面までの距離が前記第２の記録媒体とほぼ同じ距離の第３の記録媒体の情報記録面に結像させることを特徴とするものである。
【発明の効果】
【００１２】
上記本発明の実施形態にかかる光学ヘッドによれば、安価で小型な光学ヘッドを提供することができる。
【発明を実施するための最良の形態】
【００１３】
以下、図面を参照して本発明の１実施例を詳細に説明する。
【００１４】
図１は本発明の光学ヘッドの全体構成を示す上面図である。図において、光源１１は、異なる２波長λ１、λ２、例えば、７８０ｎｍと６６０ｎｍのレーザー光を発生するレーザーダイオードが同一のフレーム上にマウントされた２波長フレームダイオードである。この光源１１は、波長λ１のレーザー光を発生する第１のレーザーダイオード１１−１と波長λ２のレーザー光を発生する第２のレーザーダイオード１１−２とが、一点鎖線で示す光軸１２方向に離間して配置されている。光軸１２上には、また、ビームスプリッタ１３が配置されており、その１側面側には位相板１４を介してデータ・サーボ用ＰＤ（フォトダイオード）１５が配置されている。ビームスプリッタ１３の他の側面側には光量モニタ用ＰＤ１６が配置されている。
【００１５】
ビームスプリッタ１３の光源１１と反対側の光軸１２上には、コリメータレンズ１７および立上げミラー１８が配置されている。立上げミラー１８は、光軸１２をほぼ直角方向に曲げ、その光軸１２上には、開口フィルター１９を介して対物レンズ２０が配置されている。この対物レンズ２０は開口制限方式２焦点レンズで、一面が非球面状の凸面で反対面が平坦な平凸型の球面収差補正レンズである。開口フィルター１９は、例えば、波長λ１のレーザー光に対しては対物レンズ２０の開口を何ら制限せず、波長λ２のレーザー光に対しては、対物レンズ２０の開口を制限するように作用するダイクロイックフィルターである。
【００１６】
この対物レンズ２０の開口フィルター１９と反対側には、第１の記録媒体２１、例えば、厚さが１．２ｍｍのＣＤ用記録媒体が配置されている。この第１の記録媒体２１の対物レンズ２０の反対側の表面近傍にＣＤ用記録信号が凹凸またはマーク・スペースにより記録された情報記録面２１−１が設けられている。
【００１７】
図２は同じく本発明の光学ヘッドの全体構成を示す上面図であるが、図１の構成部分と同一部分には同一の符号を付して示している。同図の光学ヘッドの全体構成のうち、第２の記録媒体２２の部分のみが図１の光学ヘッドの全体構成と異なっている。すなわち、第２の記録媒体２２は例えば、厚さが０．６ｍｍの基板を２枚張り合わせたＤＶＤ用記録媒体であり、図ではＣＤとＤＶＤとの違いをわかりやすくするため、ＤＶＤ用記録媒体は張り合わされた２枚の基板の内、対物レンズ２０側の基板のみ示し、他の１枚は省略している。この対物レンズ２０側の基板には、対物レンズ２０から離れた側の表面近傍にＤＶＤ用記信号が凹凸またはマーク・スペースにより記録された情報記録面２２−１が設けられている。
【００１８】
次に、光源１１における第１のレーザーダイオード１１−１と第２のレーザーダイオード１１−２との位置関係についてさらに説明する。先ず、光源１１における第１のレーザーダイオード１１−１の設置位置は、図１に示すように、第１のレーザーダイオード１１−１から射出された波長λ１のレーザー光２３が、コリメータレンズ１７を通過した後においても、拡散光となるような位置に配置されている。そしてこのレーザー光２３は対物レンズ２０により、第１の記録媒体２１の情報記録面２１−１に焦点を結ぶような位置に第１の記録媒体２１が配置されている。
【００１９】
他方、光源１１における第２のレーザーダイオード１１−２は、図２に示すように、第２のレーザーダイオード１１−２から射出された波長λ２のレーザー光２4が、コリメータレンズ１７を通過した後に、平行光となるような位置に配置されている。そしてこのレーザー光２４は対物レンズ２０により、第２の記録媒体２２の情報記録面２２−１に焦点を結ぶような位置に第２の記録媒体２２が配置されている。
【００２０】
前述したように、第１の記録媒体２１の基板の厚さは、第２の記録媒体２２の基板より厚いため、同じ対物レンズ２０を通過したレーザー光２３は、図２に示すレーザー光２４より対物レンズ２０からより遠い位置において結像する。
【００２１】
このような結像関係を実現するためには、第１のレーザーダイオード１１−１に対して、第２のレーザーダイオード１１−２の設置位置は、光軸１２方向において、コリメータレンズ１７からより遠い位置に設置される必要がある。
【００２２】
このように構成された本発明の実施形態に係る光学ヘッドの動作を説明する。
【００２３】
先ず、記録媒体として、第１の記録媒体２１、例えば、ＣＤ用記録媒体を用いて記録再生を行う場合には、図１に示すように、光源１１の第１のレーザーダイオード１１−１を動作状態にして、波長λ１のレーザー光を発光させる。このレーザー光２３は光軸１２に沿って進行し、ビームスプリッタ１３を介してコリメータレンズ１７に入射し、ここで完全には平行光にはならず、拡散光の状態で出力される。この拡散光としてのレーザー光２３は立上げミラー１８によりその方向がほぼ直角に曲げられ、同様にほぼ直角に曲げられた光軸１２上に配置された開口フィルター１９を介して対物レンズ２０に入射する。ここで、開口フィルター１９はその開口を制御され、レーザー光２３が通過するレンズの開口を制限する。すなわち、ＣＤの場合、対物レンズの開口数（ＮＡ）は０．４５〜０．５５であるのに対し、ＤＶＤの場合、対物レンズの開口数（ＮＡ）は０．６よりも小さいため、開口フィルター１９によりそれぞれの場合に応じた開口制限を行う。このようにして開口が制限された対物レンズ２０に入射したレーザー光２３は、対物レンズ２０により、第１の記録媒体２１の情報記録面２１−１に結像される。
【００２４】
次に、記録媒体として、第２の記録媒体２２、例えば、ＤＶＤ用記録媒体を用いて記録再生を行う場合には、図２に示すように、光源１１の第２のレーザーダイオード１１−２を動作状態にして、波長λ２のレーザー光を発光させる。このレーザー光２４は光軸１２に沿って進行し、ビームスプリッタ１３を介してコリメータレンズ１７に入射し、ここで平行光に変換される。平行光に変換されたレーザー光２４は立上げミラー１８によりその方向がほぼ直角に曲げられ、同様にほぼ直角に曲げられた光軸１２上に配置された開口フィルター１９を介して対物レンズ２０に入射する。ここで、開口フィルター１９はその開口が制限されず、レーザー光２４はレンズの開口全面を通過するように制御される。このようにして開口が制限されない対物レンズ２０に入射したレーザー光２３は、対物レンズ２０により、第２の記録媒体２２の情報記録面２１−２に結像される。
【００２５】
このように構成された本発明の実施形態に係る光学ヘッドによれば、高価な回折型対物レンズを使用する必要がなく、例えば、平凸型の球面収差補正レンズのような、安価な対物レンズを使用することができる。すなわち、上記の光学ヘッドにおいては、平凸型の球面収差補正レンズにより、第１の記録媒体２１および第２の記録媒体２２の基板の厚さの相違に起因する、第１のレーザーダイオード１１−１から射出されるレーザー光２３と第２のレーザーダイオード１１−２から射出されるレーザー光２４の球面収差を補正することができる。この理由を図３により説明する。
【００２６】
図３（Ａ）（Ｂ）は、それぞれ、対物レンズ２０と第２の記録媒体２２との光学的な位置関係を示す概略図である。同図（Ａ）においては、対物レンズ２０に入射する波長λ２のレーザー光２４が平行光であり、対物レンズ２０によりＤＶＤ用記録媒体第２の記録媒体２２の情報記録面２２−１に結像する状態が示されている。この状態においては、レーザー光２４による球面収差が生じないように対物レンズ２０が設計されているものとする。これに対し、図３（Ｂ）においては、対物レンズ２０に入射する波長λ２のレーザー光２４を例えば、図１に示すコリメータレンズ１７の結像倍率を変更して、平行光ではなく拡散光として、第２の記録媒体２２の情報記録面２２−１に結像する状態が示されている。この状態においては、対物レンズ２０により負の球面収差が生じる。
【００２７】
他方、図３（Ｃ）（Ｄ）は、それぞれ、対物レンズ２０と第１の記録媒体２１との光学的な位置関係を示す概略図である。同図（Ｃ）においては、対物レンズ２０に入射する波長λ１のレーザー光２３が平行光であり、対物レンズ２０によりＣＤ用記録媒体である第１の記録媒体２１の情報記録面２１−１に結像する状態が示されている。この状態においては、ＣＤ用記録媒体とＤＶＤ用記録媒体との基板の厚さの相違に起因して図３（Ａ）の場合に比較して結像点までの距離が長くなるため、対物レンズ２０により正の球面収差が発生する。
【００２８】
これに対して、図３（Ｄ）においては、図３（Ｂ）の場合と同様に、対物レンズ２０に入射するレーザー光２４を例えば、図１に示すコリメータレンズ１７の結像倍率を変更して、平行光ではなく拡散光として、第１の記録媒体２１の情報記録面２１−１に結像する状態が示されている。この状態においては、対物レンズ２０による球面収差は相殺される。
【００２９】
このように、対物レンズ２０に入射する異なる波長の２つのレーザー光の一方を平行光、他方を拡散にすることにより、同じ対物レンズ２０を用い、球面収差を生ずることなく、２つのレーザー光を光軸上の異なる２点に結像することができる。
【００３０】
本発明の実施形態においては、上述したように、第２のレーザーダイオード１１−２は、光軸１２方向において第１のレーザーダイオード１１−１の設置位置に対して、コリメータレンズ１７からより遠い位置、例えば、第１のレーザーダイオード１１−１の設置位置とコリメータレンズ１７との間の距離に対して、ほぼ１００分の１の距離だけ、遠い位置に設置することにより、上記のような結像関係を実現したものである。すなわち、本発明の実施形態においては、波長が異なる２つのレーザー光を発生する光源１１として、第１および第２の発光ダイオード１１−１、１１−２を同一フレーム上において異なる位置に設置し、それらの発光点を光軸方向にずらして配置することにより球面収差を補正し、安価な対物レンズを使用可能としたものである。
【００３１】
図４および図５は本発明の他の実施形態を示す光学ヘッドの平面図である。なお、これらの図において図１または図２の構成要素と同一または類似する部分には同一符号またはダッシュを付した符号を付して、それらの詳細は省略し、異なる部分について説明する。この実施形態においては、異なる３つの波長λ１、λ２、λ３を有するレーザー光が用いられる。ここでλ３は例えば４０５ｎｍであり、λ１、λ２より短い青色の波長である。
【００３２】
この実施形態においては、光源１１´は、図１および図２に示した波長λ１の第１の発光ダイオード１１−１および波長λ２の第２の発光ダイオード１１−２に加えて、波長λ３の第３の発光ダイオード１１−３を同一フレーム上に設置する。ここで各波長は、例えば、λ１は赤外光である７８０ｎｍ、λ２は赤色である６６０ｎｍそしてλ３は青色である４０５ｎｍである。また、第１の発光ダイオード１１−１と第２の発光ダイオード１１−２の光軸１２上で位置関係は図１あるいは図２の場合と同じであるが、第３の発光ダイオード１１−３は光軸１２上で第２の発光ダイオード１１−２と同じ位置に設置されている。したがって、第１の発光ダイオード１１−１に対して第２の発光ダイオード１１−２および第３の発光ダイオード１１−３は光軸方向にずらせて配置されている。
【００３３】
次に、この実施形態における対物レンズ２０´は、回折型の対物レンズが用いられる。この対物レンズ２０´は、図１または図２で示した対物レンズの開口フィルター１９側のレンズ面に、輪帯状の回折構造（図示せず。）が形成されている。
【００３４】
また、図５における第２の記録媒体２２´は、例えば、図２に示したＤＶＤ用記録媒体あるいは高密度ＤＶＤ、すなわち、例えばＨＤＤＶＤ用記録媒体である。ＨＤＤＶＤ用記録媒体はＤＶＤ用記録媒体と同じ０．６ｍｍの厚さの基板を有している。
【００３５】
このように構成された光学ヘッドの動作について説明する。
【００３６】
先ず、記録媒体として、第１の記録媒体２１、例えば、ＣＤ用記録媒体を用いて記録再生を行う場合には、その動作は基本的に図１に示した場合と同様である。すなわち図４に示すように、光源１１の第１のレーザーダイオード１１−１を動作状態にして、波長λ１のレーザー光を発光させる。このレーザー光２３は光軸１２に沿って進行し、ビームスプリッタ１３を介してコリメータレンズ１７に入射し、ここで拡散光に変換される。拡散光に変換されたレーザー光２３は立上げミラー１８によりその方向がほぼ直角に曲げられ、同様にほぼ直角に曲げられた光軸１２上に配置された開口フィルター１９を介して対物レンズ２０´に入射する。ここで、開口フィルター１９はその開口を制御され、レーザー光２３が通過するレンズの開口を制限する。このようにして開口が制限された対物レンズ２０´に入射したレーザー光２３は、対物レンズ２０´により、第１の記録媒体２１の情報記録面２１−１に結像される。また、対物レンズ２０´は回折型レンズであるが、その回折構造は、波長λ１、例えば７８０ｎｍのレーザー光に対しては影響せず、図１あるいは図２で示した通常の非球面凸レンズでとして作用する。このため、レーザー光２３は図１あるいは図２で示した動作と同様に、第１の記録媒体２１の情報記録面２１−１に結像される。
【００３７】
次に、記録媒体として、第２の記録媒体２２、例えば、ＤＶＤ用記録媒体を用いて記録再生を行う場合には、その動作は基本的に図２に示した場合と同様である。すなわち図５に示すように、光源１１の第２のレーザーダイオード１１−２を動作状態にして、波長λ２のレーザー光を発光させる。このレーザー光２４は光軸１２に沿って進行し、ビームスプリッタ１３を介してコリメータレンズ１７に入射し、ここで平行光に変換される。平行光に変換されたレーザー光２４は立上げミラー１８によりその方向がほぼ直角に曲げられ、同様にほぼ直角に曲げられた光軸１２上に配置された開口フィルター１９を介して対物レンズ２０´に入射する。ここで、開口フィルター１９はその開口が制限されず、レーザー光２４はレンズの開口全面を通過するように制御される。このようにして開口が制限されない対物レンズ２０に入射したレーザー光２３は、対物レンズ２０により、第２の記録媒体２２の情報記録面２１−２に結像される。
【００３８】
ここで、対物レンズ２０´は回折型レンズであるが、その回折構造は、波長λ２、例えば６６０ｎｍのレーザー光に対しては影響せず、図１あるいは図２で示した通常の非球面凸レンズでとして作用する。このため、レーザー光２３は図２で示した動作と同様に、第２の記録媒体２２の表面２２−１に結像される。
【００３９】
次に、記録媒体として、第３の記録媒体２３、例えば、ＨＤＤＶＤ用記録媒体を用いて記録再生を行う場合には、図５に示すように、光源１１の第３のレーザーダイオード１１−３を動作状態にして、波長λ３のレーザー光を発光させる。このレーザー光２５は光軸１２に沿って進行し、ビームスプリッタ１３を介してコリメータレンズ１７に入射し、ここで平行光に変換される。平行光に変換されたレーザー光２５は立上げミラー１８によりその方向がほぼ直角に曲げられ、同様にほぼ直角に曲げられた光軸１２上に配置された開口フィルター１９を介して対物レンズ２０´に入射する。ここで、開口フィルター１９はその開口が制限されず、レーザー光２４はレンズの開口全面を通過するように制御される。このようにして開口が制限されない対物レンズ２０に入射したレーザー光２３は、対物レンズ２０により、第３の記録媒体２３の表面２３−１に結像される。
【００４０】
ここで、対物レンズ２０´は回折型レンズであり、その回折構造は、波長λ３、例えば４０５ｎｍのレーザー光に対しては、図１あるいは図２で示した通常の非球面凸レンズとは異なる焦点距離のレンズとして作用する。すなわち、図１あるいは図２で示した通常の非球面凸レンズの場合、波長λ３のレーザー光は波長λ２のレーザー光とは異なる焦点距離を有する。このため、波長λ３のレーザー光に対しては波長選択性の回折構造によりその焦点距離を修正し、平行光に変換されたレーザー光２５は、第３の記録媒体２３の表面２３−１に結像される。
【００４１】
この実施形態によれば、３つの異なる波長のレーザー光を用いて３種類の記録媒体、例えば、ＣＤ用、ＤＶＤ用、ＨＤＤＶＤ用の記録媒体に対する記録再生を小型で安価な光学へッドにより行うことができる。
【図面の簡単な説明】
【００４２】
【図１】本発明の実施形態に係る光学ヘッドの全体構成を示す平面図。
【図２】同じく本発明の実施形態に係る光学ヘッドの全体構成を示す平面図。
【図３】本発明の実施形態に係る光学ヘッドにおける球面収差の補正原理を説明するための、要部構成図。
【図４】本発明の他の実施形態に係る光学ヘッドの全体構成を示す平面図。
【図５】同じく本発明の他の実施形態に係る光学ヘッドの全体構成を示す平面図。
【図６】同じく本発明の他の実施形態に係る光学ヘッドの全体構成を示す平面図。
【符号の説明】
【００４３】
１１…光源、１２…光軸、１３…ビームスプリッタ、１４…位相板、１５…データ・サーボ用ＰＤ、１６…光量モニタ用ＰＤ、１７…コリメータレンズ、１８…立ち上げミラー、１９…開口フィルター、２０…対物レンズ、２１…第１の記録媒体、２２…第２の記録媒体、２３…第１のレーザー光、２４…第２レーザー光、２５…第３レーザー光
【図１】
2006190353.tif 000003
【図２】
2006190353.tif 000004
【図３】
2006190353.tif 000005
【図４】
2006190353.tif 000006
【図５】
2006190353.tif 000007
【図６】
2006190353.tif 000008